(57)【要約】【課題】本発明は、昆虫６０の活動の異常を早期に発見することで、早期に適切な対応をとることが可能な花粉交配用昆虫の管理装置４０を提供する。【解決手段】花粉交配用昆虫の管理装置４０は、撮像部４２と、昆虫識別部４４２と、判定部４４６と、出力部４４８と、を含む。撮像部４２は、巣箱３０の巣門３２を含む第１領域５２を撮像する。昆虫識別部４４２は、撮像部４２で撮像される画像５０から昆虫６０を識別する。判定部４４６は、昆虫識別部４４２で識別される昆虫６０の活動の異常発生の有無を判定する。出力部４４８は、判定部４４６で異常が認められる場合に、異常が発生したことを示す情報を出力する。第１領域５２は、巣門３２への昆虫６０の出入りを判別できる範囲に設定する。【選択図】図１
2020065463.tif 000002
【特許請求の範囲】
【請求項１】
巣箱の巣門を含む第１領域を撮像する撮像部と、
前記撮像部で撮像される画像から花粉交配用の昆虫を識別する昆虫識別部と、
前記昆虫識別部で識別される前記昆虫の活動の異常発生の有無を判定する判定部と、
前記判定部で異常が認められる場合に、異常が発生したことを示す情報を出力する出力部と、
を含み、
前記第１領域は、前記巣門への前記昆虫の出入りを判別できる範囲に設定する、花粉交配用昆虫の管理装置。
【請求項２】
請求項１において、
前記昆虫は、ミツバチまたはマルハナバチである、花粉交配用昆虫の管理装置。
【請求項３】
請求項１または２において、
前記巣箱は、施設栽培用の施設内に設けられるか、または前記施設内に前記巣門が開口して設けられ、
前記昆虫識別部で識別される前記昆虫について、１日あたりに識別される数を測定する計測部と、
前記施設内の環境データを測定する環境測定部と、
前記環境データに対応する前記昆虫の数のデータベースを記憶する記憶部と、
をさらに含み、
前記判定部は、前記データベースに基づいて前記環境データにおける異常発生時の前記昆虫の数と、前記計測部で測定される数とを比較して、異常の有無を判定する、花粉交配用昆虫の管理装置。
【請求項４】
請求項３において、
前記昆虫識別部は、前記巣門から出ていく前記昆虫と前記巣門へ戻る前記昆虫とを識別し、
前記計測部は、前記巣門から出ていく前記昆虫の数と前記巣門へ戻る前記昆虫の数との差を計測し、
前記判定部は、前記差に基づいて異常の有無を判定する、花粉交配用昆虫の管理装置。
【請求項５】
請求項３または請求項４において、
前記判定部が異常と判定した場合に、前記環境測定部で測定される前記環境データに基づいて前記昆虫の活動に影響を与えた環境因子を推定する推定部をさらに含み、
前記出力部は、前記推定部が推定する環境因子に関する情報を出力する、花粉交配用昆虫の管理装置。
【請求項６】
請求項１〜請求項５のいずれか１項において、
前記撮像部は、水飲み場を含む第２領域及び餌場を含む第３領域の少なくともいずれか一方をさらに撮像する、花粉交配用昆虫の管理装置。
【請求項７】
巣箱の巣門への昆虫の出入りを判別できる範囲を撮像し、
撮像された画像から花粉交配用の昆虫を識別し、
識別された前記昆虫の活動の異常発生の有無を判定し、
異常発生があると判定した場合に、異常が発生したことを示す情報を出力する、花粉交配用昆虫の管理方法。
【発明の詳細な説明】
【技術分野】
【０００１】
本発明は、温室及びハウス等の植物を栽培する施設における花粉交配用昆虫の管理装置及び花粉交配用昆虫の管理方法に関する。
【背景技術】
【０００２】
例えばイチゴやトマトなどを栽培する施設栽培において、ミツバチを花粉交配用として採用することが知られている（特許文献１参照）。
【０００３】
近年、花粉交配用のミツバチを入れた巣箱が市販されている。その巣箱を購入しハウスなどの施設内または施設に隣接して配置することで、巣箱から出た働き蜂が施設内の植物に対して花粉交配の活動を行う。
【先行技術文献】
【特許文献】
【０００４】
【特許文献１】特開２００７−１４３４２８号公報
【発明の概要】
【発明が解決しようとする課題】
【０００５】
しかしながら、ミツバチはハウス内の環境の変化などにより活動が低下することがある。
【０００６】
そこで、本発明は、花粉交配用昆虫の活動の異常を早期に発見することで、早期に適切な対応をとることが可能な花粉交配用昆虫の管理装置及び花粉交配用昆虫の管理方法を提供することを目的とする。
【課題を解決するための手段】
【０００７】
本発明は上述の課題の少なくとも一部を解決するためになされたものであり、以下の態様または適用例として実現することができる。
【０００８】
［１］  本発明に係る花粉交配用昆虫の管理装置の一態様は、
巣箱の巣門を含む第１領域を撮像する撮像部と、
前記撮像部で撮像される画像から花粉交配用の昆虫を識別する昆虫識別部と、
前記昆虫識別部で識別される前記昆虫の活動の異常発生の有無を判定する判定部と、
前記判定部で異常が認められる場合に、異常が発生したことを示す情報を出力する出力部と、
を含み、
前記第１領域は、前記巣門への前記昆虫の出入りを判別できる範囲に設定することを特徴とする。
【０００９】
前記花粉交配用昆虫の管理方法の一態様によれば、巣門への昆虫の出入りを判別できる範囲の画像から昆虫を識別することで、昆虫の活動の異常発生の有無を早期に判定することができる。この判定により、環境の改善や巣箱の交換などの適切な対応を早期にとることができる。
【００１０】
このような適切な対応をとることで、果菜類であれば奇形果による収穫量の減少を抑えることができ、その結果、売り上げの減少による経営への悪影響を抑えることができる。
【００１１】
［２］  前記花粉交配用昆虫の管理装置の一態様において、
前記昆虫は、ミツバチまたはマルハナバチであることができる。
【００１２】
前記花粉交配用昆虫の管理方法の一態様によれば、ミツバチまたはマルハナバチは市場で入手可能であり、しかも、帰巣本能を有する昆虫であるので巣門への昆虫の出入りによる活動の異常発生の有無を判定しやすい。
【００１３】
［３］  前記花粉交配用昆虫の管理装置の一態様において、
前記巣箱は、施設栽培用の施設内に設けられるか、または前記施設内に前記巣門が開口して設けられ、
前記昆虫識別部で識別される前記昆虫について、１日あたりに識別される数を測定する計測部と、
前記施設内の環境データを測定する環境測定部と、
前記環境データに対応する前記昆虫の数のデータベースを記憶する記憶部と、
をさらに含み、
前記判定部は、前記データベースに基づいて前記計測部の測定日における前記環境データに対応する前記昆虫の数と、前記計測部で測定される数とを比較して、異常の有無を判定することができる。
【００１４】
前記花粉交配用昆虫の管理方法の一態様によれば、１日あたりに識別される昆虫の数に対して環境データに対応する昆虫の数を比較して判定することで、比較的容易に判定処理を行うことができる。判定処理の負担が軽いことで管理装置に対する高い処理能力の要求が低減し、設備投資も容易となる。
【００１５】
［４］  前記花粉交配用昆虫の管理装置の一態様において、
前記昆虫識別部は、前記巣門から出ていく前記昆虫と前記巣門へ戻る前記昆虫とを識別し、
前記計測部は、前記巣門から出ていく前記昆虫の数と前記巣門へ戻る前記昆虫の数との差を計測し、
前記判定部は、前記差に基づいて異常の有無を判定することができる。
【００１６】
前記花粉交配用昆虫の管理方法の一態様によれば、巣箱から出るのか巣箱に入るのかを識別することで、どのような環境因子による異常発生であるかを判断しやすくなる。
【００１７】
［５］  前記花粉交配用昆虫の管理装置の一態様において、
前記判定部が異常と判定した場合に、前記環境測定部で測定される前記環境データに基づいて前記昆虫の活動に影響を与えた環境因子を推定する推定部をさらに含み、
前記出力部は、前記推定部が推定する環境因子に関する情報を出力することができる。
【００１８】
前記花粉交配用昆虫の管理方法の一態様によれば、昆虫の活動に影響を与えたと推定される環境因子を出力することにより、早期に適切な対策をとることが容易となる。
【００１９】
［６］  前記花粉交配用昆虫の管理装置の一態様において、
前記撮像部は、水飲み場を含む第２領域及び餌場を含む第３領域の少なくともいずれか一方をさらに撮像することができる。
【００２０】
前記花粉交配用昆虫の管理方法の一態様によれば、第２領域及び第３領域から昆虫の活動異常を判定することにより、より正確な昆虫の活動の変化をとらえることができる。
【００２１】
［７］  本発明に係る花粉交配用昆虫の管理方法の一態様は、
巣箱の巣門への昆虫の出入りを判別できる範囲を撮像し、
撮像された画像から花粉交配用の昆虫を識別し、
識別された前記昆虫の活動の異常発生の有無を判定し、
異常発生があると判定した場合に、異常が発生したことを示す情報を出力することを特徴とする。
【００２２】
前記花粉交配用昆虫の管理方法の一態様によれば、巣門への昆虫の出入りを判別できる範囲の画像から昆虫を識別することで、昆虫の活動の異常発生の有無を早期に判定することができる。この判定により、環境の改善や巣箱の交換などの適切な対応を早期にとることができる。
【発明の効果】
【００２３】
本発明によれば、昆虫の活動の異常発生の有無を早期に判定することができる花粉交配用昆虫の管理装置を提供することができる。また、本発明によれば、昆虫の活動の異常発生の有無を早期に判定することができる花粉交配用昆虫の管理方法を提供することができる。
【図面の簡単な説明】
【００２４】
【図１】本実施形態に係る花粉交配用昆虫の管理装置の模式図である。
【図２】花粉交配用昆虫の管理装置で撮像された画像の模式図である。
【図３】本実施形態に係る花粉交配用昆虫の管理方法のフローチャートである。
【発明を実施するための形態】
【００２５】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００２６】
本発明の一実施形態に係る花粉交配用昆虫の管理装置の一態様は、巣箱の巣門を含む第１領域を撮像する撮像部と、前記撮像部で撮像される画像から花粉交配用の昆虫を識別する昆虫識別部と、前記昆虫識別部で識別される前記昆虫の活動の異常発生の有無を判定する判定部と、前記判定部で異常が認められる場合に、異常が発生したことを示す情報を出力する出力部と、を含み、前記第１領域は、前記巣門への前記昆虫の出入りを判別できる範囲に設定することを特徴とする。
【００２７】
本発明の一実施形態に係る花粉交配用昆虫の管理方法の一態様は、巣箱の巣門への昆虫の出入りを判別できる範囲を撮像し、撮像された画像から花粉交配用の昆虫を識別し、識別された前記昆虫の活動の異常発生の有無を判定し、異常発生があると判定した場合に、異常が発生したことを示す情報を出力することを特徴とする。
【００２８】
１．施設
図１及び図２を用いて本実施形態に用いる施設栽培用の施設１０について説明する。図１は本実施形態に係る花粉交配用昆虫の管理装置４０の模式図であり、図２は花粉交配用昆虫の管理装置４０で撮像された画像５０の模式図である。
【００２９】
図１に示すように施設１０は、施設栽培用の建物であり、地面に立設する複数の柱と、柱の上端に固定された屋根と、屋根の下方の全周を覆う壁と、を含む。図１では施設１０の縦断面を示している。
【００３０】
施設栽培とは、農産品を施設内で栽培することである。花粉交配用昆虫（以下、単に「
昆虫」という）６０を用いる施設栽培としては、例えば、イチゴ、ベリー類、メロン、瓜類、トマト等の果菜類、うめ、柿、りんご、さくらんぼなどの果樹、ナタネ、ケシ、タマネギなどの採油植物や採取用野菜などを施設内で促成栽培することができる。
【００３１】
施設１０は、農業用の温室及びハウスを含む。施設１０は、日光を施設１０内へ取り込む透明な材質で形成される屋根及び壁を有し、例えばビニールハウスと呼ばれるプラスチックフィルム張りのハウスやガラス板張りのハウス等を含む。
【００３２】
透明な屋根からは施設１０内へ十分な日光を取り込むことができ、例えば施設１０の東西の長手方向に沿った苗床に植えられた栽培植物２０が南北方向に間隔をあけて複数列並べられる。
【００３３】
図１及び図２に示すように、施設１０は、花粉交配用昆虫の管理装置４０を有する。施設１０の内部には、巣箱３０と、水飲み場３４と、餌場３６と、撮像部４２と、補助撮像部４３と、環境測定部４８と、が設置される。施設１０の外には撮像部４２から撮像データを受信可能であって、環境測定部４８から環境データを受信可能なコンピュータ４４と、コンピュータ４４に接続されたディスプレイ４６と、が設置される。コンピュータ４４及びディスプレイ４６は施設１０の内部に配置されてもよい。
【００３４】
巣箱３０は、昆虫６０を収容する本体と、本体に開口する巣門３２と、を有する。巣箱３０内には複数の巣盤を備えてもよい。本実施形態において巣箱３０は、施設１０の内部に設けられているが、施設１０の内部に巣門３２が開口して設けられ巣箱３０が施設１０の外側に設置されていてもよい。巣箱３０は、巣門３２が南側を向くように配置させる。
【００３５】
水飲み場３４は、主に巣箱３０から外に出た昆虫６０が水分を補給するための場所である。皿状の容器に水を溜めるようにしてもよい。例えば、ミツバチの場合、水飲み場３４は蜂蜜を水で薄めて給餌するときや巣箱３０の内部の温度を冷却するときに使われる。したがって、水飲み場３４にハチの数が多くなると、育児時期であることや巣箱３０の内部温度が高すぎることと関連があると判断できる。
【００３６】
餌場３６は、主に巣箱３０から外に出た昆虫６０が餌を食べる場所である。皿状の容器に砂糖水を入れてもよい。例えば、栽培植物２０の花の数が少なく、餌が不足する場合に餌場３６が必要であり、栽培面積に対して昆虫６０の数が多すぎて餌が不足する場合にも餌場３６が必要である。したがって、餌場３６に昆虫６０の数が多くなると、栽培植物２０の生育が遅れていることや栽培面積に対して昆虫６０の数が多すぎることと関連があると判断できる。
【００３７】
昆虫６０は、花粉交配に用いられる昆虫であって、かつ、帰巣する昆虫である。昆虫６０は、ミツバチまたはマルハナバチであることができる。ミツバチまたはマルハナバチは、市場で入手可能であって、かつ、帰巣本能を有する昆虫６０であるので、巣門３２への昆虫６０の出入りによる活動の異常発生の有無を判定しやすい。ミツバチとしては、例えばセイヨウミツバチやニホンミツバチを採用することができる。マルハナバチとしては、例えばセイヨウオオマルハナバチやクロマルハナバチを採用することができる。
【００３８】
施設１０の内部には、花粉交配用昆虫の管理装置（以下、「管理装置」という）４０の少なくとも一部が設置される。
【００３９】
２．管理装置
図１及び図２を用いて、管理装置４０について説明する。
【００４０】
管理装置４０は、撮像部４２と、コンピュータ４４と、ディスプレイ４６と、環境測定部４８と、を含む。
【００４１】
撮像部４２は、巣箱３０の巣門３２を含む第１領域５２を撮像する。昆虫６０の活動状況を容易に把握することができるためである。撮像部４２は移動状態の昆虫６０を撮像可能なものであることが好ましい。撮像部４２は、ＣＣＤセンサやＣＭＯＳセンサなどのエリアセンサを備えるデジタルカメラであることができ、夜間の撮影には赤外線カメラを用いてもよい。第１領域５２は、巣門３２への昆虫６０の出入りを判別できる範囲に設定する。第１領域５２を撮像することで、昆虫６０の巣門３２への出入りの状況を把握するためである。昆虫６０の巣門３２への出入りが少なくなれば、昆虫６０の花粉交配活動の低下を推測できる。第１領域５２は、少なくとも巣門３２よりも広い範囲であり、巣門３２への出入りとは関係なく飛翔する昆虫６０が映り込まない範囲に設定することが好ましい。撮像部４２は、動画としての撮像データをコンピュータ４４へ送信してもよいし、静止画としての撮像データをコンピュータ４４へ送信してもよい。
【００４２】
撮像部４２は、水飲み場３４を含む第２領域５４及び餌場３６を含む第３領域５６の少なくともいずれか一方をさらに撮像してもよい。第２領域５４及び第３領域５６の少なくともいずれか一方から昆虫６０の活動異常を判定することにより、より正確な活動の変化を把握することができる。その結果、早期に異常を判定することができる。
【００４３】
撮像部４２の他に、補助撮像部４３を施設１０内に設けてもよい。補助撮像部４３は、撮像部４２と同様の構成を採用することができる。補助撮像部４３は、栽培植物２０の一部領域を撮像し、昆虫６０の花粉交配の活動を撮像することができる。補助撮像部４３によれば、栽培植物２０に昆虫６０が来ているかどうかを判断できる。補助撮像部４３を複数設置してもよい。補助撮像部４３で撮像された画像は、撮像部４２で撮像された画像５０と同様に各部の処理が実行される。
【００４４】
環境測定部４８は、施設１０の内部の環境データを測定する。環境測定部４８は、施設１０の内部の温度を測定する温度測定部、湿度を測定する湿度測定部、照度を測定する照度測定部、騒音を測定する騒音測定部、臭いを測定する臭い測定部などを含むことができる。環境測定部４８は、施設１０の内部の代表地点に例えば複数設けることができ、栽培植物２０の生育管理に用いるものを管理装置４０に兼用してもよい。環境測定部４８は、施設１０の外部の環境データをさらに測定してもよい。外部の環境データとしては例えば雨量計による降雨データなどを含むことができる。
【００４５】
コンピュータ４４は、ＣＰＵ，ＲＡＭ，ＲＯＭ等を備えることができる。コンピュータ４４は、昆虫識別部４４２と、判定部４４６と、記憶部４４７と、出力部４４８と、を含む。コンピュータ４４は、昆虫識別部４４２で識別された昆虫６０を判定部４４６で判定するための数値などのデータとして測定するための計測部４４４と、環境測定部４８の測定結果を用いて昆虫６０の活動の異常の要因を推定するための推定部４４９と、をさらに含んでもよい。記憶部４４７は、環境測定部４８で測定できる環境データに対応する昆虫６０の数のデータベースを記憶する。データベースは、環境データとして測定可能な例えば施設１０の内部の温度、湿度や降雨の有無等を変数とする昆虫６０の数の増減の情報であることができ、さらに、各変数または各変数の組み合わせにおける異常と判定すべき昆虫６０の数の情報が含まれてもよい。
【００４６】
図２に示すように、昆虫識別部４４２は、撮像部４２で撮像される画像５０から昆虫６０を識別する。画像５０内の昆虫６０を識別することで昆虫６０の活動の異常を簡易的に判定することができるからである。画像５０には、昆虫識別部４４２による処理の前に、昆虫６０を識別しやすくするために二値化などの画像処理を行ってもよい。昆虫識別部４
４２は、画像５０の内、第１領域５２、第２領域５４及び第３領域５６の枠内に写っている昆虫６０を識別する。昆虫識別部４４２における昆虫６０の識別は、例えば、画像５０内に写っている検出体の色、大きさ、形状などに基づいて行うことができる。昆虫６０の識別の基準となる色や大きさなどの基準データは記憶部４４７にあらかじめ記憶され、昆虫識別部４４２はこの基準データに基づいて画像５０における検出体が昆虫６０か否か識別する。
【００４７】
昆虫識別部４４２は、巣門３２から出ていく昆虫６０及び巣門３２へ戻る昆虫６０の少なくとも一方を識別する。巣箱３０に出入りする昆虫６０を識別することにより、例えばミツバチなどの場合、巣門３２付近にいる働き蜂の活動を把握することができる。また、巣箱３０から出るのか巣箱３０に戻るのかを判別することで、どのような環境因子による異常発生であるかを例えば推定部４４９や管理者が判断しやすくなる。
【００４８】
昆虫識別部４４２は、画像５０が静止画である場合、各静止画に写る例えば所定の形状の検出体を昆虫６０として識別する。また、昆虫識別部４４２は、画像５０が動画である場合、動画の中の例えば所定の形状の移動体を昆虫６０として識別する。この識別された昆虫６０と、記憶部４４７に記憶されている昆虫６０の生態画像データベースとを比較して判定部４４６の判定に用いてもよい。
【００４９】
計測部４４４は、例えば、昆虫識別部４４２で識別される昆虫６０について、単位測定時間例えば１日あたりに識別される数を測定することができる。昆虫６０の数を測定することで、判定部４４６の処理の負担が少ない。単位測定時間は、コンピュータ４４の処理能力に応じて設定することができる。単位測定時間が１日である場合、午前０時から測定を開始して午後１２時までが単位測定時間となる。昆虫６０の中でもミツバチなどのように朝出かけて夕方に戻る習性を有するものは、単位測定時間が１日であれば出かける数と戻る数とを測定できる。画像５０が静止画である場合、単位測定時間に撮像した複数の画像のそれぞれに写る昆虫６０の数を計測し、合算する。画像５０が動画である場合、単位測定時間における動画で識別された移動体の数を測定する。
【００５０】
また、計測部４４４は、昆虫６０の活動の異常のあらわれる他のデータについて測定を行ってもよい。昆虫６０の活動の異常は、施設１０の内部における花粉交配活動の低下に関するデータとしてあらわれる。昆虫６０の活動の異常のあらわれるデータとしては、巣門３２への出入りの数（頻度）の他、例えば、昆虫６０の大きさ、飛翔する昆虫６０の移動速度、巣門３２へ戻る昆虫６０に付いている花粉団子の大きさ、及びその花粉団子をつけた昆虫６０の数などがある。計測部４４４は、これらのデータのいずれか１つ以上についても、画像５０に基づいて測定することができる。
【００５１】
判定部４４６は、昆虫識別部４４２で識別される昆虫６０の活動の異常発生の有無を判定する。判定部４４６は、計測部４４４の測定結果に基づいて昆虫６０の活動の異常発生の有無を判定してもよい。判定部４４６は、例えば、記憶部４４７に記憶されるデータベースに基づいて計測部４４４の測定日における環境データに対応する昆虫６０の数と、計測部４４４で測定される数とを比較して、異常の有無を判定することができる。記憶部４４７のデータベースによれば、例えば計測部４４４で測定した日の環境に近い環境データにおける正常な状態の昆虫６０の数がわかる。判定部４４６は、そのデータベースの昆虫６０の数と計測された昆虫６０の数とを比較することで、比較的容易に判定処理を行うことができる。判定処理の負担が軽いことで管理装置４０に対する高い処理能力の要求が低減し、設備投資も容易となる。データベースは、記憶部４４７に記憶しておくことができ、判定部４４６が記憶部４４７から測定した日の環境における昆虫６０の数を読みだして計測結果と比較して、例えば、データベースから読みだした昆虫６０の数から所定の補正値を引いた数より計測結果の数が少ない場合に異常と判定することができる。データベー
スにおける昆虫６０の数は、巣箱３０を施設１０に設置した日から記憶部４４７が記憶した昆虫６０及び環境に関するデータに基づいて設定してもよいし、管理者が自ら設定したまたは外部から導入した正常な花粉交配活動をしているときの昆虫６０に関するデータに基づいて設定してもよい。また、判定部４４６は、計測部４４４で測定される数以外の活動異常のあらわれるデータに基づいて活動の異常発生の有無を判定してもよい。
【００５２】
また、判定部４４６は、巣門３２から出ていく昆虫６０の数と巣門３２へ戻る昆虫６０の数との差に基づいて異常の有無を判定してもよい。巣門３２から出ていく昆虫６０の数と巣門３２へ戻る昆虫６０の数との差は、計測部４４４によって計測できる。昆虫識別部４４２は、巣門３２から出ていく昆虫６０と巣門３２へ戻る昆虫６０とを識別することができる。また、記憶部４４７のデータベースは、環境データに対応する巣門３２から出ていく昆虫６０の数と巣門３２へ戻る昆虫６０の数との差についての情報を含んでいてもよい。
【００５３】
出力部４４８は、判定部４４６で異常が認められる場合に、異常が発生したことを示す情報を出力する。例えば、この情報をディスプレイ４６に表示してもよいし、図示しない警告手段、例えばアラーム音や回転灯を用いてもよい。
【００５４】
巣門３２への昆虫６０の出入りを判別できる範囲の画像５０から昆虫６０を識別することで、昆虫６０の活動の異常発生の有無を早期に判定することができる。この判定により、環境の改善や巣箱３０の交換などの適切な対応を早期にとることができる。また、このような適切な対応をとることで、果菜類であれば例えば、花粉交配不良による奇形果の発生、着果率の低下、果実の肥大不足等による収穫量の減少を抑えることができ、その結果、売り上げの減少による経営への悪影響を抑えることができる。
【００５５】
推定部４４９は、判定部４４６が異常と判定した場合に、環境測定部４８で測定される環境データに基づいて昆虫６０の活動に影響を与えた環境因子を推定する。そして、出力部４４８は、推定部４４９が推定する環境因子に関する情報を出力する。昆虫６０の活動に影響を与えたと推定される環境因子を出力することにより、早期に適切な対策をとることが容易となる。
【００５６】
環境データとしては、施設１０の内部の温度、同内部の湿度、同内部の照度、同内部の音、及び同内部の臭いの少なくとも１つ以上を含むことができる。記憶部４４７が昆虫６０の活動が正常な状態の環境データを記憶しておくことで、正常時の環境データと異常時の環境データとを比較して、いずれの環境因子が昆虫６０の活動に影響を与えたか推定してもよい。また、コンピュータ４４が機械学習機能を有してもよく、例えば、正常時の環境データと異常時の環境データとをコンピュータ４４に入力して学習しアルゴリズムを発展させ、そのアルゴリズムに従って異常時に昆虫６０の活動に影響を与えた環境因子を推定部４４９が推定してもよい。
【００５７】
３．管理方法
図３を用いて花粉交配用昆虫の管理方法について説明する。図３は、本実施形態に係る花粉交配用昆虫の管理方法（以下、「管理方法」という）のフローチャートである。
【００５８】
図３に示すように、本実施形態に係る管理方法は、撮像工程Ｓ１０と、識別工程Ｓ２０と、計測工程Ｓ３０と、判定工程Ｓ４０と、出力工程Ｓ５０と、を含む。管理方法は、上述した管理装置４０を用いて行うことができる。
【００５９】
撮像工程Ｓ１０は、巣箱の巣門への昆虫の出入りを判別できる範囲を撮像する。巣門付近を撮像していれば、少なくとも昆虫の帰巣を利用して昆虫の活動状況を把握することが
できる。
【００６０】
識別工程Ｓ２０は、撮像された画像から花粉交配用の昆虫を識別する。撮像した画像における昆虫を識別して計測工程Ｓ３０及び判定工程Ｓ４０に用いるためである。
【００６１】
計測工程Ｓ３０は、例えば単位測定時間あたりに識別される昆虫の数を測定する。昆虫の数を判定の基準に用いることでコンピュータの処理が軽減される。
【００６２】
判定工程Ｓ４０は、識別された昆虫の活動の異常発生の有無を判定する。判定が「正常」であれば次の撮像工程Ｓ１０で撮像された画像に対して識別工程Ｓ２０を実行する。判定が「異常」であれば、出力工程Ｓ５０を実行する。
【００６３】
出力工程Ｓ５０は、異常発生があると判定した場合に、異常が発生したことを示す情報を出力する。この出力によって管理者が適切な対応をとることができる。
【００６４】
巣門への昆虫の出入りを判別できる範囲の画像から昆虫を識別することで、昆虫の活動の異常発生の有無を早期に判定することができる。この判定により、環境の改善や巣箱の交換などの適切な対応を早期にとることができる。
【００６５】
管理方法は、環境測定工程と、推定工程と、をさらに含むことができる。環境測定工程は、施設内の環境データを取得し、保存（記憶）することができる。その環境データに基づいて、判定工程Ｓ４０で異常と判定された場合に、どの環境因子が異常に影響をしたか推定することができる。
【００６６】
本発明は、上述した実施形態に限定されるものではなく、さらに種々の変形が可能である。例えば、本発明は、実施形態で説明した構成と実質的に同一の構成（例えば、機能、方法、及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００６７】
１０…施設、２０…栽培植物、３０…巣箱、３２…巣門、３４…水飲み場、３６…餌場、４０…管理装置、４２…撮像部、４３…補助撮像部、４４…コンピュータ、４４２…昆虫識別部、４４４…計測部、４４６…判定部、４４７…記憶部、４４８…出力部、４４９…推定部、４６…ディスプレイ、４８…環境測定部、５０…画像、５２…第１領域、５４…第２領域、５６…第３領域、６０…昆虫
【図１】
2020065463.tif 000003
【図２】
2020065463.tif 000004
【図３】
2020065463.tif 000005